(57)【要約】【課題】  文字入力面積を減らし、迅速に安定した操作を可能にする【解決手段】携帯情報端末の文字入力システムに、加工スイッチ114、複数の座標スイッチ115、モードスイッチ116が筐体に１列に配置され、文字の刻印が表示される文字入力プレート101と、モードスイッチ、複数の座標スイッチ、加工スイッチに対する選択スイッチの押下回数で文字モード種別を切り替え、数字、英字の各列、ひらがな文字の各行に属する文字を選択し、加工種別を切り替えるスタイラス102と、スタイラスに押下されたスイッチのＸ軸座標を検出するＸ軸座標検出部107と、選択スイッチの押下回数を蓄積するカウンター106と、Ｘ軸座標と押下回数をパラメータにして数字、英字、ひらがな文字、カタカナ文字、記号文字を格納し、濁音、半濁音、小文字、大文字、半角文字を格納する格納部104と、Ｘ軸座標、押下回数で文字を格納部から読み出す制御部103とを備える。【選択図】図１
2005063075.tif 000002
【特許請求の範囲】
【請求項１】
携帯情報端末の文字入力システムにおいて、
数字入力、英字入力、ひらがな文字入力、カタカナ文字入力、記号文字入力を含む文字入力モード種別を切り替えるモードスイッチと、数字、英字の各列、ひらがな文字の各行を含む文字が割り当てられる複数の座標スイッチと、濁点、半濁点、小文字、大文字、半角文字を含む文字加工種別を切り替える加工スイッチとを有し、前記加工スイッチ、前記複数の座標スイッチ、前記モードスイッチが前記携帯情報端末の筐体に１列に配置され、前記複数の座標スイッチの各々に割り当てられる文字を表す刻印の表示が行われる文字入力プレートと、
選択スイッチを有し、前記文字入力プレートの前記加工スイッチ、前記複数の座標スイッチ、前記モードスイッチのいずれか１つを押下し、前記モードスイッチを押下している場合前記選択スイッチの押下回数で文字入力モード種別を切り替え、前記複数の座標スイッチの１つを押下している場合前記選択スイッチの押下回数で数字、英字の各列、ひらがな文字の各行を含む文字のいずれか１つに属する文字を選択し、前記加工スイッチを押下している場合前記選択スイッチの押下回数で文字加工種別を切り替えるスタイラスと、
前記文字入力プレートの前記加工スイッチ、前記複数の座標スイッチ、前記モードスイッチに割り振られたＸ軸座標であって、前記スタイラスに押下された前記加工スイッチ、前記複数の座標スイッチ、前記モードスイッチのＸ軸座標を検出するＸ軸座標検出部と、
前記スタイラスの選択スイッチの押下回数を蓄積するカウンターと、
前記文字入力プレートの前記加工スイッチ、前記複数の座標スイッチ、前記モードスイッチに割り振られたＸ軸座標と前記スタイラスの前記選択スイッチの押下回数とをパラメータにして数字、英字、ひらがな文字、カタカナ文字、記号文字を全角、半角で格納し、さらに、英字に小文字、大文字、ひらがな文字、カタカナ文字の濁音、半濁音を格納する文字格納部と、
前記Ｘ軸座標検出部からＸ軸座標が伝達され、前記カウンターから前記選択スイッチの押下回数が伝達される毎に、文字入力モード種別を特定し、特定された文字入力モード種別に属する文字を前記文字格納部から読み出し、特定された文字に対して加工処理を行った文字を前記文字格納部から読み出す中央制御部とを備えることを特徴とする携帯情報端末の文字入力システム。
【請求項２】
前記スタイラスは決定スイッチ、取消スイッチを有し、前記決定スイッチは選択文字を決定し、決定した選択文字を前記携帯情報端末に入力させる機能を有し、前記取消スイッチは選択した文字が間違っていた場合に選択した文字を取り消す機能を有することを特徴とする、請求項１に記載のユーザサポートシステム。
【請求項３】
前記文字入力プレートの前記加工スイッチ、前記複数の座標スイッチ、前記モードスイッチは三角形、丸形、四角形の異なる形状をなし、それぞれ深溝で内側にスイッチを配置するように形成されることを特徴とする、請求項１に記載の携帯情報端末の文字入力システム。
【請求項４】
前記複数の座標スイッチの各々に、０、ＡＢＣ、わ行；１、ＤＥＦ、ら行；２、ＧＨＩ、や行；３、ＪＫＬ、ま行；４、ＭＮＯ、は行；５、ＰＱＲ、な行；６、ＳＴＵ、た行；７、ＶＷＸ、さ行；８、ＹＺ？、か行；９、！，”、あ行の文字が割り当てられることを特徴とする、請求項１に記載の携帯情報端末の文字入力システム。
【請求項５】
前記文字入力プレートであって、前記加工スイッチの周辺に加工の文字を刻印表示し、前記複数の座標スイッチの各周辺に０、ＡＢＣ、わ；１、ＤＥＦ、ら；２、ＧＨＩ、や；３、ＪＫＬ、ま；４、ＭＮＯ、は；５、ＰＱＲ、な；６、ＳＴＵ、た；７、ＶＷＸ、さ行；８、ＹＺ？、か；９、！，”、あの文字を３段に刻印表示し、前記モードスイッチの周辺にモードの文字を刻印表示することを特徴とする、請求項１に記載の携帯情報端末の文字入力システム。
【請求項６】
前記Ｘ軸座標検出部から前記Ｘ軸座標、前記カウンターから前記選択スイッチの押下回数の情報が前記中央制御部に伝達される毎に前記中央制御部により特定された文字入力モード種別、前記文字格納部から読み出した特定された文字入力モード種別に属する文字、特定された文字に対して加工処理を行った文字がディスプレイに表示されることを特徴とする、請求項１に記載のユーザサポートシステム。
【請求項７】
前記文字入力プレートの前記加工スイッチ、前記複数の座標スイッチ、前記モードスイッチがディスプレイの下部に設けられ、前記加工スイッチ、前記複数の座標スイッチ、前記モードスイッチの位置に対応して、ディスプレイに、数字入力が選択された場合に、加工；０；１；２；３；４；５；６；７；８；９；モードの文字が表示され、英字が選択された場合に加工；ＡＢＣ；ＤＥＦ；ＧＨＩ；ＪＫＬ；ＭＮＯ；ＰＱＲ；ＳＴＵ；ＶＷＸ；ＹＺ？；！，”；モードの文字が表示され、小文字が選択された場合に加工；ａｂｃ；ｄｅｆ；ｇｈｉ；ｊｋｌ；ｍｎｏ；ｐｑｒ；ｓｔｕ；ｖｗｘ；ｙｚ？；！，”；モードの文字が表示され、ひらがな文字入力が選択されている場合に加工；わ；ら；や；ま；は；な；た；さ；か；あ；モードの文字が表示され、カタカナ文字入力が選択されている場合に加工；ワ；ラ；ヤ；マ；ハ；ナ；タ；サ；カ；ア；モードの文字が表示されることを特徴とする、請求項１に記載の携帯情報端末の文字入力システム。
【請求項８】
数字入力、英字入力、小文字入力、ひらがな文字入力、カタカナ文字入力に対して半角文字が選択された場合にはそれぞれの半角文字が表示されることを特徴とする、請求項５に記載の携帯情報端末の文字入力システム。
【請求項９】
前記文字入力プレートの前記加工スイッチ、前記複数の座標スイッチ、前記モードスイッチがディスプレイの下部に設けられ、前記加工スイッチ、前記複数の座標スイッチ、前記モードスイッチの下の位置に加工；０；１；２；３；４；５；６；７；８；９；モードの文字が刻印表示され、前記ディスプレイと前記加工スイッチ、前記複数の座標スイッチ、前記モードスイッチの間にガイドを設け、前記ガイドに文字プレートがめ込まれ、前記加工スイッチ、前記複数の座標スイッチ、前記モードスイッチの位置に対応して前記文字プレートの表面に加工；ＡＢＣ；ＤＥＦ；ＧＨＩ；ＪＫＬ；ＭＮＯ；ＰＱＲ；ＳＴＵ；ＶＷＸ；ＹＺ？；！，”；モードの文字が印刷表示され、裏面に加工；わ；ら；や；ま；は；な；た；さ；か；あ；モードの文字が印刷表示されることを特徴とする、請求項１に記載の携帯情報端末の文字入力システム。
【請求項１０】
携帯情報端末の文字入力システムにおいて、
数字入力、英字入力、ひらがな文字入力、カタカナ文字入力、記号文字入力を含む文字入力モード種別を切り替えるモードスイッチと、数字、英字の各列、ひらがな文字の各行を含む文字が割り当てられる複数の座標スイッチと、濁点、半濁点、小文字、大文字、半角文字を含む文字加工種別を切り替える加工スイッチとを有し、前記加工スイッチ、前記複数の座標スイッチ、前記モードスイッチが携帯情報端末の筐体に１列に配置され、前記複数の座標スイッチの各々に割り当てられる文字を表す表示が行われる文字入力プレートと、
前記文字入力プレートの前記モードスイッチを押下する押下回数で文字入力モード種別を切り替え、前記複数の座標スイッチの１つを押下する押下回数で数字、英字の各列、ひらがな文字の各行を含む文字のいずれか１つに属する文字を選択し、前記加工スイッチを押下する押下回数で文字加工種別を切り替えるスタイラスと、
前記文字入力プレートの前記加工スイッチ、前記複数の座標スイッチ、前記モードスイッチに割り振られたＸ軸座標であって、前記スタイラスに押下された前記加工スイッチ、前記複数の座標スイッチ、前記モードスイッチのＸ軸座標を検出するＸ軸座標検出部と、
前記スタイラスの押下回数を蓄積するカウンターと、
前記文字入力プレートの前記加工スイッチ、前記複数の座標スイッチ、前記モードスイッチに割り振られたＸ軸座標と前記スタイラスの押下回数とをパラメータにして数字、英字、ひらがな文字、カタカナ文字を全角、半角で格納し、さらに、英字に小文字、大文字、ひらがな文字、カタカナ文字の濁音、半濁音を格納する文字格納部と、
前記Ｘ軸座標検出部からＸ軸座標が伝達され、前記カウンターから前記スタイラスチの押下回数が伝達される毎に、文字入力モード種別を特定し、特定された文字入力モード種別に属する文字を前記文字格納部から読み出し、特定された文字に対して加工処理を行った文字を前記文字格納部から読み出す中央制御部とを備えることを特徴とする携帯情報端末の文字入力システム。
【請求項１１】
携帯情報端末の文字入力方法において、
前記携帯情報端末の筐体に１列に加工スイッチ、複数の座標スイッチ、モードスイッチを配置する工程と、
前記加工スイッチに数字入力、英字入力、ひらがな文字入力、カタカナ文字入力、記号文字入力を含む文字入力モード種別を切り替える機能を持たせる工程と、
前記複数の座標スイッチに数字、英字の各列、ひらがな文字の各行を含む文字を割り当てる工程と、
前記モードスイッチに濁点、半濁点、小文字、大文字、半角文字を含む文字加工種別を切り替える機能を持たせる工程と、
前記携帯情報端末の筐体で前記複数の座標スイッチの各周辺に割り当てられる文字を表す刻印の表示を行う工程と、
前記文字入力プレートの前記加工スイッチ、前記複数の座標スイッチ、前記モードスイッチを押下するスタイラスに選択スイッチを配置する工程と、
前記スタイラスが前記モードスイッチを押下している場合前記選択スイッチの押下回数で文字入力モード種別を切り替える工程と、
前記スタイラスが前記複数の座標スイッチの１つを押下している場合前記選択スイッチの押下回数で数字、英字の各列、ひらがな文字の各行のいずれか１つに属する文字を選択する工程と、
前記スタイラスが前記加工スイッチを押下している場合前記選択スイッチの押下回数で文字加工種別を切り替える工程と、
前記加工スイッチ、前記複数の座標スイッチ、前記モードスイッチに割り振られたＸ軸座標を割り振る工程と、
前記スタイラスに押下された前記加工スイッチ、前記複数の座標スイッチ、前記モードスイッチのＸ軸座標を検出する工程と、
前記スタイラスの選択スイッチの押下回数を蓄積する工程と、
前記文字入力プレートの前記加工スイッチ、前記複数の座標スイッチ、前記モードスイッチに割り振られたＸ軸座標と前記スタイラスの前記選択スイッチの押下回数とをパラメータにして数字、英字、ひらがな文字、カタカナ文字、記号文字を全角、半角で格納し、さらに、英字に小文字、大文字、ひらがな文字、カタカナ文字の濁音、半濁音を格納する工程と、
検出されたＸ軸座標が伝達され、前記選択スイッチの押下回数が伝達される毎に、文字入力モード種別を特定し、特定された文字入力モード種別に属する文字を読み出し、特定された文字に対して加工処理を行った文字を読み出す工程とを備えることを特徴とする携帯情報端末の文字入力方法。
【発明の詳細な説明】
【技術分野】
【０００１】
本発明は携帯情報端末の文字入力システムに関する。特に、本発明は、文字入力面積を減らし迅速に安定した操作を可能にする携帯情報端末の文字入力システム及び方法に関する。
【背景技術】
【０００２】
従来の電子手帳では発振出力をオン、オフして出力する励磁コイルを先端に有するペンと、互いに直交して網目状に張りめぐらされた誘導線を設けたプレートと、このプレート上に任意の点の磁束変化を検出する検出回路と、この検出回路からの入力されたイメージデータを記憶するイメージメモリと、このイメージメモリに聴くされたデータをイメージとして再表示するディスプレイ部とを備え、ペン先をプレート上に移動させることにより任意のイメージデータを入力および再表示するようにしている（例えば、特許文献１参照）。
【０００３】
また、従来のディジタイザでは複写機に入力される原稿をタブレット上にセットし、入力ペンを用いた複写画像に関する座標位置等の編集情報を入力するディジタイザにおいて、入力ペンの把持部に機能情報入力用のコマンドスイッチを設けるようにしている（例えば、特許文献２参照）。
また、従来のペン入力方式携帯情報端末では、変換、選択、確定の一連の漢字変換操作をスムーズに行え、ペンのタップ操作による傷を最小限に抑えようにするため、少なくとも文字入力エリアと文字等を表示させるための表示エリアを有する携帯情報端末本体と、文字入力エリアに文字を入力するためのペンとで構成されるペン入力方式携帯情報端末において、ペンには、漢字変換を行うための変換、選択、確定用スイッチを設け、更に、漢字変換を行うための変換、選択、確定用スイッチの操作による信号を携帯情報端末本体に送信する手段を設け、携帯情報端末本体には信号を受信する手段を設け、前記信号により漢字変換を行うようにしている（例えば、特許文献３参照）。
【０００４】
また、従来の携帯文字入力装置では、携帯電話機へのキー入力、コンピュータ装置等へのペン入力、及び、ＰＤＡ等の携帯型情報処理装置へのキー又はペン入力をより少ないキ
ーを用いて、より素早い文字入力を行なうため、１つのキーに子音を割り当てず母音を割り当てた第１のキーグループと、１つのキーに子音と母音を割り当てた第２のキーグループと、入力されたキーおよびその順序に基づいて、対応する文字に変換する変換手段とをている（例えば、特許文献４参照。）。
【０００５】
また、ペン型座標入力装置では、座標入力のための広いスペースを要することなく、子型で初心者にも扱いやすくするために、光を反射する領域にその領域の反射率より低い反射率の縦方向及び横方向の格子状のパターンを有するプレート上を移動することにより座標信号を出力するペン型形状の本体を備え、この本体は断面の中心位置が直線方向となる複数の光ファイバーと断面の中心位置が直線方向と直角方向となる他の複数の光ファイバーとを有し、プレート上で反射する光を受けて光信号を生成する読取ヘッドと、操作に応じて指令信号を生成する入力キーと、光信号をデコードして座標信号として出力するデコーダとを含むようにしている（例えば、特許文献５参照）。
【０００６】
【特許文献１】実開昭６２−０３２４５４号公報（実用新案登録請求の範囲、図１参照）
【特許文献２】特開平０３−１４８７２３号公報（頁２、図１参照）
【特許文献３】特開２００２−２４４８０４号公報（頁２、３、図３参照）
【特許文献４】特開２００１−０８４０８６号公報（頁６、図２参照）
【特許文献５】特開平０５−２７４０８２号公報（頁２、図１参照）
【発明の開示】
【発明が解決しようとする課題】
【０００７】
上記の従来技術のように、個人情報をその場で入力、閲覧が可能な携帯情報端末が普及していたが、その文字入力には様々な方法がある。
小型のフルキーボードを搭載したり、テンキーボードのようにキーの数を減らす代わりに押す数を増やして入力する方法、文字認識エリア、キーボードを画面に表示させてスタイラスで書いたり、選んで入力する方法がある。
【０００８】
しかしながら、上記の従来技術では次のような問題がある。
第１の問題は、携帯情報端末に手に持って持ち運べる大きさのものなかで文字入力するエリアが携帯情報端末の特定面積を占有してしまうことである。
小型のフルキーボードを搭載するためには、携帯情報端末の大きさに収まるようにキーピッチを狭くせざるを得ないので快適にキー操作をすることができない。
【０００９】
また、文字認識エリア、キーボードを画面に表示させる面積を大きく取ると、携帯情報端末の本来の表示エリアが小さくなるので大きくできない。
大きくできないとスタイラスで書いたり選んだりすることが非常に難しくなる。
第２の問題は、キーボードのキーの数を減らし特定キーにいくつもの機能、文字が割り当てたテンキーボードは目的とする文字を表示させるのに時間がかかり、さらにキーを連続して押さないといけないので押し方にばらつきが生じご操作を招く。
【００１０】
第３の問題は、片手に携帯情報端末を持ち、立ちながら操作すると入力操作が不安定ということである。文字認識エリア、キーボードを画面に表示させてスタイラスで書いたり、選んだりするときに不安定だとスタイラスを押す力がばらついて正しい文字認識、選択できない。
したがって、本発明は上記問題点に鑑みて、携帯情報端末の文字入力に関し、携帯情報端末に示す文字入力面積を減らし、片手に携帯情報端末を持ち立ちながら文字入力を行う時も迅速に安定した操作を可能にする携帯情報端末の文字入力システム及び方法を提供することを目的とする。
【課題を解決するための手段】
【００１１】
本発明は前記問題点を解決するために、携帯情報端末の文字入力システムにおいて、数字入力、英字入力、ひらがな文字入力、カタカナ文字入力、記号文字入力の文字入力モード種別を切り替えるモードスイッチと、数字、英字の各列、ひらがな文字の各行が割り当てられる複数の座標スイッチと、濁点、半濁点、小文字、大文字、半角文字の文字加工種別を切り替える加工スイッチとを有し、前記加工スイッチ、前記複数の座標スイッチ、前記モードスイッチが前記携帯情報端末の筐体に１列に配置され、前記複数の座標スイッチの各々に割り当てられる文字を表す刻印の表示が行われる文字入力プレートと、選択スイッチを有し、前記文字入力プレートの前記加工スイッチ、前記複数の座標スイッチ、前記モードスイッチのいずれか１つを押下し、前記モードスイッチを押下している場合前記選択スイッチの押下回数で文字入力モード種別を切り替え、前記複数の座標スイッチの１つを押下している場合前記選択スイッチの押下回数で数字、英字の各列、ひらがな文字の各行のいずれか１つに属する文字を選択し、前記加工スイッチを押下している場合前記選択スイッチの押下回数で文字加工種別を切り替えるスタイラスと、前記文字入力プレートの前記加工スイッチ、前記複数の座標スイッチ、前記モードスイッチに割り振られたＸ軸座標であって、前記スタイラスに押下された前記加工スイッチ、前記複数の座標スイッチ、前記モードスイッチのＸ軸座標を検出するＸ軸座標検出部と、前記スタイラスの選択スイッチの押下回数を蓄積するカウンターと、前記文字入力プレートの前記加工スイッチ、前記複数の座標スイッチ、前記モードスイッチに割り振られたＸ軸座標と前記スタイラスの前記選択スイッチの押下回数とをパラメータにして数字、英字、ひらがな文字、カタカナ文字、記号文字を全角、半角で格納し、さらに、英字に小文字、大文字、ひらがな文字、カタカナ文字の濁音、半濁音を格納する文字格納部と、前記Ｘ軸座標検出部からＸ軸座標が伝達され、前記カウンターから前記選択スイッチの押下回数が伝達される毎に、文字入力モード種別を特定し、特定された文字入力モード種別に属する文字を前記文字格納部から読み出し、特定された文字に対して加工処理を行った文字を前記文字格納部から読み出す中央制御部とを備えることを特徴とする携帯情報端末の文字入力システムを提供する。
さらに、前記スタイラスは決定スイッチ、取消スイッチを有し、前記決定スイッチは選択文字を決定し、決定した選択文字を前記携帯情報端末に入力させる機能を有し、前記取消スイッチは選択した文字が間違っていた場合に選択した文字を取り消す機能を有する。
【００１２】
さらに、前記文字入力プレートの前記加工スイッチ、前記複数の座標スイッチ、前記モードスイッチは三角形、丸形、四角形の異なる形状をなし、それぞれ深溝で内側にスイッチを配置するように形成される。
さらに、前記複数の座標スイッチの各々に、０、ＡＢＣ、わ行；１、ＤＥＦ、ら行；２、ＧＨＩ、や行；３、ＪＫＬ、ま行；４、ＭＮＯ、は行；５、ＰＱＲ、な行；６、ＳＴＵ、た行；７、ＶＷＸ、さ行；８、ＹＺ？、か行；９、！，”、あ行の文字が割り当てられる。
【００１３】
さらに、前記文字入力プレートであって、前記加工スイッチの周辺に加工の文字を刻印表示し、前記複数の座標スイッチの各周辺に０、ＡＢＣ、わ；１、ＤＥＦ、ら；２、ＧＨＩ、や；３、ＪＫＬ、ま；４、ＭＮＯ、は；５、ＰＱＲ、な；６、ＳＴＵ、た；７、ＶＷＸ、さ行；８、ＹＺ？、か；９、！，”、あの文字を３段に刻印表示し、前記モードスイッチの周辺にモードの文字を刻印表示する。
【００１４】
さらに、前記Ｘ軸座標検出部から前記Ｘ軸座標、前記カウンターから前記選択スイッチの押下回数の情報が前記中央制御部に伝達される毎に前記中央制御部により特定された文字入力モード種別、前記文字格納部から読み出した特定された文字入力モード種別に属する文字、特定された文字に対して加工処理を行った文字がディスプレイに表示される。
さらに、前記文字入力プレートの前記加工スイッチ、前記複数の座標スイッチ、前記モードスイッチがディスプレイの下部に設けられ、前記加工スイッチ、前記複数の座標スイッチ、前記モードスイッチの位置に対応して、ディスプレイに、数字入力が選択された場合に、加工；０；１；２；３；４；５；６；７；８；９；モードの文字が表示され、英字が選択された場合に加工；ＡＢＣ；ＤＥＦ；ＧＨＩ；ＪＫＬ；ＭＮＯ；ＰＱＲ；ＳＴＵ；ＶＷＸ；ＹＺ？；！，”；モードの文字が表示され、小文字が選択された場合に加工；ａｂｃ；ｄｅｆ；ｇｈｉ；ｊｋｌ；ｍｎｏ；ｐｑｒ；ｓｔｕ；ｖｗｘ；ｙｚ？；！，”；モードの文字が表示され、ひらがな文字入力が選択されている場合に加工；わ；ら；や；ま；は；な；た；さ；か；あ；モードの文字が表示され、カタカナ文字入力が選択されている場合に加工；ワ；ラ；ヤ；マ；ハ；ナ；タ；サ；カ；ア；モードの文字が表示される。
【００１５】
さらに、数字入力、英字入力、小文字入力、ひらがな文字入力、カタカナ文字入力に対して半角文字が選択された場合にはそれぞれの半角文字が表示される。
さらに、前記文字入力プレートの前記加工スイッチ、前記複数の座標スイッチ、前記モードスイッチがディスプレイの下部に設けられ、前記加工スイッチ、前記複数の座標スイッチ、前記モードスイッチの下の位置に加工；０；１；２；３；４；５；６；７；８；９；モードの文字が刻印表示され、前記ディスプレイと前記加工スイッチ、前記複数の座標スイッチ、前記モードスイッチの間にガイドを設け、前記ガイドに文字プレートがめ込まれ、前記加工スイッチ、前記複数の座標スイッチ、前記モードスイッチの位置に対応して前記文字プレートの表面に加工；ＡＢＣ；ＤＥＦ；ＧＨＩ；ＪＫＬ；ＭＮＯ；ＰＱＲ；ＳＴＵ；ＶＷＸ；ＹＺ？；！，”；モードの文字が印刷表示され、裏面に加工；わ；ら；や；ま；は；な；た；さ；か；あ；モードの文字が印刷表示される。
【００１６】
さらに、本発明は、携帯情報端末の文字入力システムにおいて、数字入力、英字入力、ひらがな文字入力、カタカナ文字入力、記号文字入力を含む文字入力モード種別を切り替えるモードスイッチと、数字、英字の各列、ひらがな文字の各行を含む文字が割り当てられる複数の座標スイッチと、濁点、半濁点、小文字、大文字、半角文字を含む文字加工種別を切り替える加工スイッチとを有し、前記加工スイッチ、前記複数の座標スイッチ、前記モードスイッチが携帯情報端末の筐体に１列に配置され、前記複数の座標スイッチの各々に割り当てられる文字を表す表示が行われる文字入力プレートと、前記文字入力プレートの前記モードスイッチを押下する押下回数で文字入力モード種別を切り替え、前記複数の座標スイッチの１つを押下する押下回数で数字、英字の各列、ひらがな文字の各行を含む文字のいずれか１つに属する文字を選択し、前記加工スイッチを押下する押下回数で文字加工種別を切り替えるスタイラスと、前記文字入力プレートの前記加工スイッチ、前記複数の座標スイッチ、前記モードスイッチに割り振られたＸ軸座標であって、前記スタイラスに押下された前記加工スイッチ、前記複数の座標スイッチ、前記モードスイッチのＸ軸座標を検出するＸ軸座標検出部と、前記スタイラスの押下回数を蓄積するカウンターと、前記文字入力プレートの前記加工スイッチ、前記複数の座標スイッチ、前記モードスイッチに割り振られたＸ軸座標と前記スタイラスの押下回数とをパラメータにして数字、英字、ひらがな文字、カタカナ文字を全角、半角で格納し、さらに、英字に小文字、大文字、ひらがな文字、カタカナ文字の濁音、半濁音を格納する文字格納部と、前記Ｘ軸座標検出部からＸ軸座標が伝達され、前記カウンターから前記スタイラスチの押下回数が伝達される毎に、文字入力モード種別を特定し、特定された文字入力モード種別に属する文字を前記文字格納部から読み出し、特定された文字に対して加工処理を行った文字を前記文字格納部から読み出す中央制御部とを備えることを特徴とする携帯情報端末の文字入力システムを提供する。
【００１７】
さらに、本発明は、携帯情報端末の文字入力方法において、前記携帯情報端末の筐体に１列に加工スイッチ、複数の座標スイッチ、モードスイッチを配置する工程と、前記加工スイッチに数字入力、英字入力、ひらがな文字入力、カタカナ文字入力、記号文字入力を含む文字入力モード種別を切り替える機能を持たせる工程と、前記複数の座標スイッチに数字、英字の各列、ひらがな文字の各行を含む文字を割り当てる工程と、前記モードスイッチに濁点、半濁点、小文字、大文字、半角文字を含む文字加工種別を切り替える機能を持たせる工程と、前記携帯情報端末の筐体で前記複数の座標スイッチの各周辺に割り当てられる文字を表す刻印の表示を行う工程と、前記文字入力プレートの前記加工スイッチ、前記複数の座標スイッチ、前記モードスイッチを押下するスタイラスに選択スイッチを配置する工程と、前記スタイラスが前記モードスイッチを押下している場合前記選択スイッチの押下回数で文字入力モード種別を切り替える工程と、前記スタイラスが前記複数の座標スイッチの１つを押下している場合前記選択スイッチの押下回数で数字、英字の各列、ひらがな文字の各行のいずれか１つに属する文字を選択する工程と、前記スタイラスが前記加工スイッチを押下している場合前記選択スイッチの押下回数で文字加工種別を切り替える工程と、前記加工スイッチ、前記複数の座標スイッチ、前記モードスイッチに割り振られたＸ軸座標を割り振る工程と、前記スタイラスに押下された前記加工スイッチ、前記複数の座標スイッチ、前記モードスイッチのＸ軸座標を検出する工程と、前記スタイラスの選択スイッチの押下回数を蓄積する工程と、前記文字入力プレートの前記加工スイッチ、前記複数の座標スイッチ、前記モードスイッチに割り振られたＸ軸座標と前記スタイラスの前記選択スイッチの押下回数とをパラメータにして数字、英字、ひらがな文字、カタカナ文字、記号文字を全角、半角で格納し、さらに、英字に小文字、大文字、ひらがな文字、カタカナ文字の濁音、半濁音を格納する工程と、検出されたＸ軸座標が伝達され、前記選択スイッチの押下回数が伝達される毎に、文字入力モード種別を特定し、特定された文字入力モード種別に属する文字を読み出し、特定された文字に対して加工処理を行った文字を読み出す工程とを備えることを特徴とする携帯情報端末の文字入力方法を提供する。
【発明の効果】
【００１８】
以上説明したように、本発明によれば、入力プレートを採用することでフルキーボード、手書き文字入力等に比べて携帯情報端末に示す文字入力面積を小さくすることが可能になる。
さらに、入力プレートの縦幅をスタイラスの径程度に文字印刷の幅を加算した長さに抑えられるので、携帯情報端末の端に配置することで占有面積を削減することが可能になる。
【００１９】
さらに、入力プレートのスイッチとスタイラスのスイッチを組み合わせでテンキーボードより迅速に文字入力が可能になる。
さらに、入力プレートは横１列とし、文字の選択はスタイラス側のスイッチ操作で行うことにより、文字を探す時間を短縮し、指の移動量も減らすことにより迅速に文字を入力することが可能になる。
【００２０】
さらに、入力プレートの深溝にスタイラスを落として操作するので、文字入力を安定して行うことが可能になる。
さらに、スタイラスを入力プレートの深溝に落としてスタイラス側のスイッチ操作を行うので片手に携帯情報端末を持ち立ちながら文字入力を行う時も安定した状態で確実に文字入力を行うことが可能になる。
【発明を実施するための最良の形態】
【００２１】
図１は本発明に係る携帯情報端末の文字入力システムの概略構成を示すブロック図である。本図に示すように、携帯情報端末の文字入力システムには１対の文字入力プレート１０１とスタイラス１０２が設けられ、文字入力プレート１０１には形状がそれぞれ異なる三角形の加工スイッチ１１４、複数の丸形の座標スイッチ１１５．０−１１５．９、四角形のモードスイッチ１１６が１列に携帯情報端末（図示しない）の筐体に埋め込み配置され、加工スイッチ１１４、複数の座標スイッチ１１５．０−１１５．９、モードスイッチ１１６がスタイラス１０２により押下され、携帯情報端末への文字入力信号を出力する機能を有する。
【００２２】
このように、スイッチの種類で異なる形状にするのは、加工スイッチ１１４、座標スイッチ１１５．０−１１５．９、モードスイッチ１１６の相違を認識可能にし、操作を容易にするためである。
加工スイッチ１１４は文字加工のモードを切り替える機能を有し、複数の座標スイッチ１１５．０−１１５．９は数字、アルファベット（英字）の各列、ひらがな文字の各行を割り当てる機能を有し、モードスイッチ１１６は文字入力モードを切り替える機能を有する。
【００２３】
さらに、１列に配置されている文字入力プレート１０１の加工スイッチ１１４、座標スイッチ１１５．０-１１５．９、モードスイッチ１１６にはＸ軸座標が割り当てられる。
加工スイッチ１１４、座標スイッチ１１５．０-１１５．９、モードスイッチ１１６には入力信号ライン１１３を介してＸ軸座標検出回路１０７が接続され、Ｘ軸座標検出回路１０７ではスタイラス１０２に押下された加工スイッチ１１４、座標スイッチ１１５．０-１１５．９、モードスイッチ１１６のＸ軸座標が検出される。
【００２４】
Ｘ軸座標検出回路１０７には中央制御部１０３が接続され、Ｘ軸座標検出回路１０７から中央制御部１０３には検出されたＸ軸座標情報が伝達される。
次に、スタイラス１０２は、取消スイッチ１１７、選択スイッチ１１８、決定スイッチ１１９を有し、文字入力プレート１０１の加工スイッチ１１４、座標スイッチ１１５．０-１１５．９、モードスイッチ１１６を押下して表示させるべき文字を選ぶ機能を有する。
【００２５】
取消スイッチ１１７は選択した文字が間違っていた場合に選択した文字を取り消す機能を有し、選択スイッチ１１８はその押下回数により数字、英字の各列、ひらがな文字の各行の該当文字を選択する機能を有し、決定スイッチ１１９は選択文字を決定し、携帯情報端末に決定した選択文字を入力させる機能を有する。
スタイラス１０２には選択信号ライン１１０を介してカウンター１０６が設けられ、カウンター１０６は選択スイッチ１１８の押下回数を積算し、中央制御部１０３に積算情報を出力する機能を有する。
【００２６】
カウンター１０６と中央制御部１０３の間にリセット信号ライン１１１が接続され、中央制御部１０３からリセット信号ライン１１１を介してカウンター１０６の積算回数の積算がクリアされる。
スタイラス１０２と中央制御部１０３の間には決定信号ライン１１２が設けられ、決定スイッチ１１９の決定情報が決定信号ライン１１２を介して中央制御部１０３に伝達される。
【００２７】
スタイラス１０２と中央制御部１０３の間には取消信号ライン１０９が設けられ、スタイラス１０２の取消情報が取消信号ライン１０９を介して中央制御部１０３に伝達される。
スタイラス１０２と中央制御部１０３の間にはコントロール信号ライン１０８が設けられ、中央制御部１０３からスタイラス１０２にコントロール信号ライン１０８を介して制御信号が伝達される。
【００２８】
さらに、中央制御部１０３には文字格納部１０４が接続され、文字格納部１０４はＲＯＭ（Ｒｅａｄ  Ｏｎｌｙ  Ｍｅｍｏｒｙ）で構成され、各種の文字を格納し、文字入力プレート１０１、スタイラス１０２から伝達された情報に基づき中央制御部１０３により読み出し制御が行われる。
さらに、中央制御部１０３にはディスプレイ１０５が接続され、ディスプレイ１０５では中央制御部１０３の制御により文字格納部１０４から読み出される文字が表示される。
【００２９】
なお、中央制御部１０３は携帯情報端末の文字入力システムに関する全体の制御を行う機能有する。
図２は図１における文字入力プレート１０１の構成例を示す図である。本図に示すように、加工スイッチ１１４は三角の深溝が彫られており、内側にスイッチが配置されるように形成される。加工スイッチ１１４で行う文字の文字加工種別には一例として、ひらがな文字、カタカナ文字に濁点「゛」、半濁点「゜」を付け、アルファベット（英字）を小文字、大文字にし、数字、ひらがな文字、カタカナ文字、アルファベット（英字）を半角文字にする処理がある。
【００３０】
さらに、複数の座標スイッチ１１５．０-１１５．９の各々は丸形の深溝が彫られており、内側にスイッチが配置されるように形成される。一例として、座標スイッチ１１５．０では、数字「０」、アルファベット（英字）「ＡＢＣ」、ひらがな文字「わ行」が割り当てられ、座標スイッチ１１５．１には、数字「１」、アルファベット（英字）「ＤＥＦ」、ひらがな文字「ら行」が割り当てられ、座標スイッチ１１５．２には、数字「２」、アルファベット（英字）「ＧＨＩ」、ひらがな文字「や行」が割り当てられ、座標スイッチ１１５．３には、数字「３」、アルファベット（英字）「ＪＫＬ」、ひらがな文字「ま行」が割り当てられ、座標スイッチ１１５．４には、数字「４」、アルファベット（英字）「ＭＮＯ」、ひらがな文字「は行」が割り当てられ、座標スイッチ１１５．５には、数字「５」、アルファベット（英字）「ＰＱＲ」、ひらがな文字「な行」が割り当てられ、座標スイッチ１１５．６には、数字「６」、アルファベット（英字）「ＳＴＵ」、ひらがな文字「た行」が割り当てられ、座標スイッチ１１５．７には、数字「７」、アルファベット（英字）「ＶＷＸ」、ひらがな文字「た行」が割り当てられ、座標スイッチ１１５．８には、数字「８」、アルファベット（英字）「ＹＺ？」、ひらがな文字「な行」が割り当てられ、座標スイッチ１１５．９には、数字「９」、アルファベット（英字）「！，”」、ひらがな文字「あ行」が割り当てられる。
【００３１】
さらに、モードスイッチ１１６は四角の深溝が彫られており、内側にはスイッチが配置されるように形成される。
モードスイッチ１１６で切り替えを行う文字入力モード種別には一例として、数字入力、アルファベット（英字）入力、ひらがな文字入力、カタカナ文字入力、文字記号入力の切替処理がある。
【００３２】
図３は図１におけるＸ軸座標検出回路１０７のＸ軸検出動作例を説明する図である。本図に示すように、加工スイッチ１１４、座標スイッチ１１５．０-１１５．９、モードスイッチ１１６にＸ軸座標Ｘ０、Ｘ１、Ｘ２、Ｘ３、Ｘ４、Ｘ５、Ｘ６、Ｘ７、Ｘ８、Ｘ９、Ｘ１０、Ｘ１１がそれぞれ割り振られ、Ｘ軸座標検出回路１０７ではスタイラス１０２により押下される加工スイッチ１１４、座標スイッチ１１５．０-１１５．９、モードスイッチ１１６の位置からＸ軸座標が検出される。
【００３３】
図４は図１におけるスタイラス１０２の押下動作例を説明する図である。本図（ａ）に示すスタイラス１０２を、本図（ｂ）に示すように、文字入力プレート１０１の加工スイッチ１１４、座標スイッチ１１５．０-１１５．９、モードスイッチ１１６のいずれか１つの深溝に落とし内側のスイッチが押下される。
図５は文字格納部１０４に格納される文字例を説明する図である。
【００３４】
本図（ａ）に示すように、文字格納部１０４には、Ｘ軸座標「Ｘ１、Ｘ２、Ｘ３、Ｘ４、Ｘ５、Ｘ６、Ｘ７、Ｘ８、Ｘ９、Ｘ１０」に対して数字「０、１、２、３、４、５、６、７、８、９」がそれぞれ格納される。
以上は全角の数字の格納であるが、同様に、半角の数字の格納が行われる。
本図（ｂ）に示すように、文字格納部１０４には、Ｘ軸座標「Ｘ１、Ｘ２、Ｘ３、Ｘ４、Ｘ５、Ｘ６、Ｘ７、Ｘ８、Ｘ９、Ｘ１０」に対して、選択スイッチ１１８の押下回数をパラメータとし、選択スイッチ１１８の押下回数が「１回」の場合、アルファベット（英字）文字「Ａ、Ｄ、Ｇ、Ｊ、Ｍ、Ｐ、Ｓ、Ｖ、Ｙ、！」がそれぞれ格納され、選択スイッチ１１８の押下回数が「２回」の場合、アルファベット（英字）文字「Ｂ、Ｅ、Ｈ、Ｋ、Ｎ、Ｑ、Ｔ、Ｗ、Ｚ、，、」がそれぞれ格納され、選択スイッチ１１８の押下回数が「３回」の場合、アルファベット（英字）文字「Ｃ、Ｆ、Ｉ、Ｌ、Ｏ、Ｒ、Ｕ、Ｘ、？”」がそれぞれ格納される。
【００３５】
上記のアルファベット（英字）文字の格納は大文字について行われたが、同様に、小文字のアルファベット（英字）文字の格納も以下のように行われる。
選択スイッチ１１８の押下回数が「１回」の場合「ａ、ｄ、ｇ、ｊ、ｍ、ｐ、ｓ、ｖ、ｙ、！」、「２回」の場合「ｂ、ｅ、ｈ、ｋ、ｎ、ｑ、ｔ、ｗ、ｚ、，」、「３回」の場合「ｃ、ｆ、ｉ、ｌ、ｏ、ｒ、ｕ、ｘ、？、”」が格納される。
【００３６】
以上は、全角のアルファベット（英字）文字について述べたが、同様に半角の大文字、小文字のアルファベット（英字）文字の格納も行われる。
本図（ｃ）に示すように、文字格納部１０４には、Ｘ軸座標「Ｘ１、Ｘ２、Ｘ３、Ｘ４、Ｘ５、Ｘ６、Ｘ７、Ｘ８、Ｘ９、Ｘ１０」に対して選択スイッチ１１８の押下回数をパラメータとし、選択スイッチ１１８の押下回数が「１回」の場合、ひらがな文字「わ、ら、や、ま、は、な、た、さ、か、あ」がそれぞれ格納され、選択スイッチ１１８の押下回数が「２回」の場合、ひらがな文字「、、り、ゆ、み、ひ、に、ち、し、き、い」がそれぞれ格納され、選択スイッチ１１８の押下回数が「３回」の場合、ひらがな文字「ん、る、よ、む、ふ、ぬ、つ、す、く、う」がそれぞれ格納され、選択スイッチ１１８の押下回数が「４回」の場合、ひらがな文字「。、れ、  、め、へ、ね、て、せ、け、え」がそれぞれ格納され、選択スイッチ１１８の押下回数が「５回」の場合、ひらがな文字「／、ろ、  、も、ほ、の、と、そ、こ、お」がそれぞれ格納される。
【００３７】
上記のひらがな文字以外にも、同様に、カタカナ文字の格納も、以下のように、行われる。
選択スイッチ１１８の押下回数が「１回」の場合「ワ、ラ、ヤ、マ、は、ナ、タ、サ、カ、ア」、「２回」の場合「、、リ、ユ、ミ、ヒ、二、チ、シ、キ、イ」、「３回」の場合「ン、ル、ヨ、ム、フ、ヌ、ツ、ス、ク、ウ」、「４回」の場合「。、レ、  、メ、ヘ、ネ、テ、セ、ケ、エ」、「５回」の場合「／、ロ、  、モ、ホ、ノ、ト、ソ、コ、オ」が格納される。
さらに、同様に、濁音付き、半濁音付きひらがな文字、カタカナ文字の格納も行われる。
【００３８】
以上は、全角のひらがな文字、カタカナ文字について述べたが、同様に、半角のひらがな文字、カタカナ文字が格納され、半角の濁音付き、半濁音付きひらがな文字、カタカナ文字が格納される。
このように、文字格納部１０４では、座標スイッチ１１５．０-１１５．９のＸ軸座標の各文字に対し、選択スイッチ１１８の押下回数で数字、アルファベット（英字）文字、ひらがな文字等がマトリックス状に配置される。
【００３９】
図６はモードスイッチ１１６、加工スイッチ１１４の押下回数に基づく、中央制御部１０３の文字入力モード種別、文字加工種別を説明する図である。
本図（ａ）に示すように、中央制御部１０３では、モードスイッチ１１６の押下回数「１回、２回、３回、４回、５回」に対応して、数字入力、アルファベット（英字）入力、ひらがな文字入力、カタカナ文字入力、文字記号入力のモードを選択して、文字格納部１０４から読み出しを行う。
【００４０】
なお、カタカナ文字入力のモードが選択されている場合に座標スイッチ１１５．０-１１５．９に対してひらがな文字を選択すと、ひらがな文字に対応するカタカナ文字が選択される。
本図（ｂ）に示すように、中央制御部１０３では、加工スイッチ１１４の押下回数「１回、２回、３回、４回、５回」に対応して、濁点「゛」、半濁点「゜」、小文字、大文字、半角文字をそれぞれ選択し、文字格納部１０４からの読み出しを行う。
図７は一例として文字「で」を入力する場合について携帯情報端末の文字入力システムの動作例を説明するフローチャートである。
【００４１】
ステップＳ２０１において、ディスプレイ１０５に現在の文字入力モード種別が表示される。オペレータが文字入力モード種別を切り替える必要があるか否かの判断が可能になる。
ステップＳ２０２において、オペレータがモードスイッチ１１６を押下する。押下されたモードスイッチ１１６の位置情報であるＸ軸座標Ｘ１０が入力信号ライン１１３を介してＸ軸座標検出回路１０７で検出され、中央制御部１０３に伝達される。
【００４２】
モードスイッチ１１６が押下されると、中央制御部１０３からスタイラス１０２に対して制御信号がコントロール信号ライン１０８を介して送られる。
ステップＳ２０３において、文字「で」がひらがな文字であるので、オペレータは選択スイッチ１１８を３回押下し、ひらがな文字の文字入力モード種別を選択する。
選択スイッチ１１８の押下回数、選択信号ライン１１０を介して、カウンター１０６で積算してその積算情報（３回）が中央制御部１０３に伝達される。
【００４３】
このようにして、モードスイッチ１１６、選択スイッチ１１８から中央制御部１０３にＸ１０、押下回数３回の情報が伝達される。
ステップＳ２０４において、オペレータが表示させたいひらがな文字「で」に対してタ行を文字入力プレート１０１から探す。すなわち、オペレータは、タ行を見つけると、スタイラス１０２でそのＸ軸座標スイッチ１１５．６を押下する。
【００４４】
押下された座標スイッチ１１５．６の位置情報であるＸ軸座標Ｘ７が入力信号ライン１１３を介してＸ軸座標検出回路１０７で検出され、中央制御部１０３に伝達される。
中央制御部１０３では、文字格納部１０４のタ行の先頭文字である「た」を読み出しディスプレイ１０５に表示する。
ステップＳ２０５において、オペレータはそのひらがな文字のタ行から表示させたい文字「で」を選ぶためスタイラス１０２の選択スイッチ１１８を４回押下する。
【００４５】
選択スイッチ１１８の押下回数を、選択信号ライン１１０を介して、カウンター１０６で積算してその積算情報（４回）が中央制御部１０３に伝達される。中央制御部１０３では、文字格納部１０４のタ行から積算情報にしたがって該当するひらがな文字「て」がディスプレイ１０５に表示される。
このようにして、座標スイッチ１１５．６、選択スイッチ１１８から中央制御部１０３にＸ７、押下回数４回の情報が伝達される。
【００４６】
ステップＳ２０６において、オペレータは表示させたい文字「で」が濁点を有するので、スタイラス１０２で加工スイッチ１１４を押下する。
押下された加工スイッチ１１４の位置情報であるＸ軸座標Ｘ０が入力信号ライン１１３を介してＸ軸座標検出回路１０７で検出され、中央制御部１０３に伝達される。
ステップＳ２０７において、オペレータは濁点を付けるため選択スイッチ１１８を１回押下する。
【００４７】
選択スイッチ１１８の押下回数を、選択信号ライン１１０を介して、カウンター１０６で積算してその積算情報（１回）が中央制御部１０３に伝達される。中央制御部１０３では、伝達されたＸ０、積算情報にしたがって該当するひらがな文字「て」に濁点を付けて、ディスプレイ１０５にひらがな文字「で」が表示される。
このようにして、加工スイッチ１１４、選択スイッチ１１８から中央制御部１０３にＸ０、押下回数１回の情報が伝達される。
【００４８】
オペレータは表示させたいひらがな文字「で」がディスプレイ１０５に現れたら、決定スイッチ１１９を押下する。決定信号ライン１１２を介して決定情報が中央制御部１０３に伝達される。中央制御部１０３では、ひらがな文字表示を確定するとともに、カウンター１０６にリセット信号を発信し、積算情報をリセットする。
文字を間違えて選択してしまった場合、オペレータはスタイラス１０２の取消スイッチ１１７を押下すると、取消信号ライン１０９を介して取消情報が中央制御部１０３に伝達される。中央制御部１０３ではひらがな文字表示を取り止めるとともにカウンター１０６にリセット信号を発信して積算情報をリセットする。
【００４９】
したがって、本発明によれば、入力プレートを採用することでフルキーボード、手書き文字入力等に比べて携帯情報端末に示す文字入力面積を小さくすることが可能になる。
特に、携帯情報端末においてはフルキーボードを搭載すると携帯情報端末の大部分を占有することになり、手書き文字入力の場合は文字入力エリアを表示画面、携帯情報端末の下部に任意の面積を確保しなければならないが、本発明によれば、入力プレートの縦幅をスタイラスの径程度に文字印刷の幅を加算した長さに抑えられるので、携帯情報端末の端に配置することで占有面積を削減することが可能になる。
【００５０】
さらに、入力プレートの１２個のスイッチとスタイラスの３個のスイッチを組み合わせでテンキーボードより迅速に文字入力が可能になる。
特に、携帯情報端末において文字入力を行う際、テンキーボードのようなキー配列にすると一般的に３列×４行のマトリックス構造となり、機能が割り当てられた該当キーを探す時間と指の移動量が増えるが、本発明における入力プレートは横１列とし、文字の選択はスタイラス側のスイッチ操作で行うことにより、文字を探す時間を短縮し、指の移動量も減らすことにより迅速に文字を入力することが可能になる。
【００５１】
さらに、入力プレートの深溝にスタイラスを落として操作するので、文字入力を安定して行うことが可能になる。特に、携帯情報端末では、スタイラスを使用して文字入力する時、表示画面のタッチパネルを押して文字を選ぶことになるが、押す力が弱くて認識できなかったり、連続押しする時に押す力がばらついたりして正しく操作できないことがあるが、本発明においては、スタイラスを入力プレートの深溝に落としてスタイラス側のスイッチ操作を行うので片手に携帯情報端末を持ち立ちながら文字入力を行う時も安定した状態で確実に文字入力を行うことが可能になる。
【００５２】
次に、文字入力プレート１０１には、図２に示すように、数字、アルファベット（英字）文字、ひらがな文字を印刷又は刻印して表示する必要がある。しかし、その表示が大きくし過ぎると携帯情報端末の特定面積を占有してしまい、また小さくし過ぎると入力する時に見えないという問題がある。以下にこの問題の解決について説明を行う。
【実施例１】
【００５３】
図８、図９、図１０は図１における文字入力プレート１０１の変形例であり、携帯情報端末の液晶表示部を利用して入力プレートの文字を表示する例を説明する図である。
本図８（ａ）に示すように、携帯情報端末の液晶表示部３２０の下部に位置する筐体３２１に文字入力プレート１０１を設け、文字入力プレート１０１の加工スイッチ１１４、座標スイッチ１１５．０-１１５．９、モードスイッチ１１６が１列に埋め込み配置される。
【００５４】
液晶表示部３２０の下部に文字種別表示エリア３２２が設けられ、文字種別表示エリア３２２に文字入力プレート１０１に表示される文字が表示される。
すなわち、数字入力が選択されている場合には、文字種別表示エリア３２２には加工スイッチ１１４、座標スイッチ１１５．０-１１５．９、モードスイッチ１１６に対して、「加工、０、１、２、３、４、５、６、７、９、モード」の文字が表示される。
【００５５】
本図８（ｂ）に示すように、アルファベット（英字）入力が選択されている場合には、文字種別表示エリア３２２には加工スイッチ１１４、座標スイッチ１１５．０-１１５．９、モードスイッチ１１６に対して、「加工、ＡＢＣ、ＤＥＦ、ＧＨＩ、ＪＫＬ、ＭＮＯ、ＰＱＲ、ＳＴＵ、ＶＷＸ、ＹＺ？、！，”、モード」の文字が表示される。
本図９（ｃ）に示すように、ひらがな文字入力が選択されている場合には、文字種別表示エリア３２２には加工スイッチ１１４、座標スイッチ１１５．０-１１５．９、モードスイッチ１１６に対して、「加工、わ、ら、や、ま、は、な、た、さ、か、あ、モード」の文字が表示される。
本図９（ｄ）に示すように、カタカナ文字入力が選択されている場合には、文字種別表示エリア３２２には加工スイッチ１１４、座標スイッチ１１５．０-１１５．９、モードスイッチ１１６に対して、「加工、ワ、ラ、ヤ、マ、ハ、ナ、タ、サ、カ、ア、モード」の文字が表示される。
本図１０（ｅ）に示すように、小文字のアルファベット（英字）入力が選択されている場合には、文字種別表示エリア３２２には加工スイッチ１１４、座標スイッチ１１５．０-１１５．９、モードスイッチ１１６に対して、「加工、ａｂｃ、ｄｅｆ、ｇｈｉ、ｊｋｌ、ｍｎｏ、ｐｑｒ、ｓｔｕ、ｖｗｘ、ｙｚ？、！，”、モード」の文字が表示される。
【００５６】
前述のように携帯情報端末の液晶表示部３２０に面積の一部が文字種別表示エリア３２２で占有される余裕が無く、構成回路の複雑を回避したい場合について以下に述べる。
【実施例２】
【００５７】
図１１は図１における文字入力プレート１０１の変形例であり、入力プレートの文字を簡易的に表示する例を説明する図である。本図（ａ）に示すように、携帯情報端末の筐体３２１に文字入力プレート１０１が設けられ、文字入力プレート１０１の加工スイッチ１１４、座標スイッチ１１５．０-１１５．９、モードスイッチ１１６が１列に埋め込み配列され、座標スイッチ１１５．０-１１５．９の下部に数字が刻印表示される。
【００５８】
加工スイッチ１１４、座標スイッチ１１５．０-１１５．９、モードスイッチ１１６の上部にガイド３２３が設けられ、ガイド３２３に文字表示プレート３２４がはめ込まれる。
文字表示プレート３２４の両面には下記のように印刷表示が行われる。
本図（ｂ）に示すように、文字表示プレート３２４の表面には加工スイッチ１１４、座標スイッチ１１５．０-１１５．９、モードスイッチ１１６に対して、「加工、ＡＢＣ、ＤＥＦ、ＧＨＩ、ＪＫＬ、ＭＮＯ、ＰＱＲ、ＳＴＵ、ＶＷＸ、ＹＺ？、！，”、モード」の文字が表示される。
【００５９】
本図（ｃ）に示すように、文字表示プレート３２４の裏面には加工スイッチ１１４、座標スイッチ１１５．０-１１５．９、モードスイッチ１１６に対して、「加工、わ、ら、や、ま、は、な、た、さ、か、あ、モード」の文字が表示される。
このようにして、ひらがな文字入力が必要な場合には文字表示プレート３２４を表面にしてガイド３２３にはめ込み、アルファベット（英字）入力が必要な場合には文字表示プレート３２４を裏面に返してガイド３２３にはめ込みが行われる。
【実施例３】
【００６０】
図１２は図１におけるスタイラス１０２の変形例を説明する図である。本図に示すように、スタイラス１０２には取消スイッチ１１７、決定スイッチ１１９が設けられ、図１の選択スイッチ１１８が設けられない。
中央制御部１０３にカウンター１０６が接続され、カウンター１０６では、スタイラス１０２の押下回数を積算し、積算情報に基づき、図３の文字の選択を行い、図６の文字入力モード種別、文字加工種別の選択が行われる。なお、スタイラスを連続して押下するが、深溝の内側のスイッチを押すので、押す場所が一定しており、押し方によるばらつきの発生が生じない。
このようにして、ユーザの好みに対してスタイラス１０２の操作に多様性をもたせる。
【図面の簡単な説明】
【００６１】
【図１】本発明に係る携帯情報端末の文字入力システムの概略構成を示すブロック図である。
【図２】図１における文字入力プレート１０１の構成例を示す図である。
【図３】図１におけるＸ軸座標検出回路１０７のＸ軸検出動作例を説明する図である。
【図４】図１におけるスタイラス１０２の押下動作例を説明する図である。
【図５】文字格納部１０４に格納される文字例を説明する図である。
【図６】モードスイッチ１１６、加工スイッチ１１４の押下回数に基づく、中央制御部１０３の文字入力モード種別、文字加工種別を説明する図である。
【図７】一例として文字「で」を入力する場合について携帯情報端末の文字入力システムの動作例を説明するフローチャートである。
【図８】図１における文字入力プレート１０１の変形例であり、携帯情報端末の液晶表示部を利用して入力プレートの文字を表示する例を説明する図である。
【図９】図１における文字入力プレート１０１の変形例であり、携帯情報端末の液晶表示部を利用して入力プレートの文字を表示する例を説明する図である。
【図１０】図１における文字入力プレート１０１の変形例であり、携帯情報端末の液晶表示部を利用して入力プレートの文字を表示する例を説明する図である。
【図１１】図１における入力プレートの文字を簡易的に表示する例を説明する図である。
【図１２】図１におけるスタイラス１０２の変形例を説明する図である。
【符号の説明】
【００６２】
１０１…文字入力プレート
１０２…スタイラス
１０３…中央制御部
１０４…文字格納部
１０５…ディスプレイ
１０６…カウンター
１０７…Ｘ軸座標検出回路
１０８…コントロール信号ライン
１０９…取消信号ライン
１１０…選択信号ライン
１１１…リセット信号ライン
１１２…決定信号ライン
１１４…加工スイッチ
１１５．０-１１５．９…座標スイッチ
１１６…モードスイッチ
３２０…液晶表示部
３２１…筐体
３２２…文字種別表示エリア
３２３…ガイド
３２４…文字表示プレート
【図１】
2005063075.tif 000003
【図２】
2005063075.tif 000004
【図３】
2005063075.tif 000005
【図４】
2005063075.tif 000006
【図５】
2005063075.tif 000007
【図６】
2005063075.tif 000008
【図７】
2005063075.tif 000009
【図８】
2005063075.tif 000010
【図９】
2005063075.tif 000011
【図１０】
2005063075.tif 000012
【図１１】
2005063075.tif 000013
【図１２】
2005063075.tif 000014